(57)【要約】【課題】航空機などの旅客移動体における機内エンターテインメントシステムのＡＶコンテンツやゲームソフトなどの配信用ネットワークの使用帯域を低減するとともに、電波干渉の問題もなく従来のサービスとの親和性のよいＡＶコンテンツ視聴システムを提供する。【解決手段】自座席のコントローラ５ｍによって選択されたＡＶコンテンツの映像は、前部座席のディスプレイ６ｎの映像表示部４５により表示され、同じく音声は音声変調部４７により電源ＬＥＤ４８の発光を点滅または発光量を変化させて変調する。この変調光はヘッドホン７２の受光部７３で受光され、復調部７４で音声に復調され、乗客は音声を聴取する。電源ＬＥＤ４８はディスプレイ６ｎの電源ＯＮ／ＯＦＦによって色が変化し、電源ＯＮ／ＯＦＦによってヘッドホン７２が受信する音声情報が自動的に変更される。【選択図】図２
2009253400.tif 000002
【特許請求の範囲】
【請求項１】
映像データおよび音声データを含んだ配信用のＡＶコンテンツを蓄積したコンテンツサーバと、
背部にディスプレイが配設され、前後に配列された複数の座席と、
前記コンテンツサーバと伝送路を介して接続されるとともに、配信されたＡＶコンテンツを蓄積する映像音声蓄積部を内蔵して前記座席のそれぞれに配設された座席端末と、
前記座席端末に接続されたコントローラとを備え、
乗客が着座した自座席のコントローラにより所定のＡＶコンテンツを選択した場合、前記所定のＡＶコンテンツが前記コンテンツサーバから前記伝送路を経由して自座席に隣接する前部座席の座席端末に配信され、
前記自座席のコントローラによる乗客の指示に基づいて、前記前部座席の座席端末の映像音声蓄積部から読み出されたＡＶコンテンツの映像データを前記前部座席のディスプレイに表示するＡＶコンテンツ視聴システムであって、
前記ディスプレイは電源のＯＮ／ＯＦＦに連動して色を変える電源ＬＥＤと、前記電源ＬＥＤから発光される光を前記音声データで変調して変調光を送信するための音声変調部とを有し、
前記変調光を受光する受光部と前記変調光から音声データを復調する音声復調部を有したヘッドホンとを備え、
前記ディスプレイの電源がＯＮのときは、前記ディスプレイに表示される映像に関連する音声データの変調光を送信し、前記ヘッドホンで受信して聴取し、
前記ディスプレイの電源がＯＦＦのときは、映像に関連しない音声データの変調光を送信して、前記ヘッドホンで受信して聴取することを特徴とするＡＶコンテンツ視聴システム。
【請求項２】
映像データおよび音声データを含んだ配信用のＡＶコンテンツを蓄積したコンテンツサーバと、
背部にディスプレイが配設され、前後に配列された複数の座席と、
前記コンテンツサーバと伝送路を介して接続されるとともに、配信されたＡＶコンテンツを蓄積する映像音声蓄積部を内蔵して前記座席のそれぞれに配設された座席端末と、
前記座席端末に接続されたコントローラと、
前記座席端末に接続されたヘッドホンとを備え、
乗客が着座した自座席のコントローラにより所定のＡＶコンテンツを選択した場合、前記所定のＡＶコンテンツが前記コンテンツサーバから前記伝送路を経由して自座席に隣接する前部座席の座席端末に配信され、
前記自座席のコントローラによる乗客の指示に基づいて、前記前部座席の座席端末の映像音声蓄積部から読み出されたＡＶコンテンツの映像データを前記前部座席のディスプレイに表示し、前記ＡＶコンテンツの音声データを前記自座席のヘッドホンで聴取するＡＶコンテンツ視聴システムであって、
前記ディスプレイは電源のＯＮ／ＯＦＦに連動して色を変える電源ＬＥＤと、前記電源ＬＥＤから発光される光を前記音声データで変調して変調光を送信するための音声変調部とを有し、
前記座席は前記変調光を受光する受光部と前記変調光から音声データを復調する音声復調部を有し、
前記ディスプレイの電源がＯＮのときは、前記ディスプレイに表示される映像に関連する音声データの変調光を送信し、前記座席で受信して前記座席端末を経由して前記ヘッドホンで聴取し、
前記ディスプレイの電源がＯＦＦのときは、映像に関連しない音声データの変調光を送信して、前記座席で受信して前記座席端末を経由して前記ヘッドホンで聴取することを特徴とするＡＶコンテンツ視聴システム。
【請求項３】
前記受光部は、前記座席の左右両側に設けられたことを特徴とする請求項２に記載のＡＶコンテンツ視聴システム。
【請求項４】
前記座席端末は前記伝送路を経由して伝送される音声と前記座席の音声復調部からの音声とを切換える音声切換部をさらに備え、
前記伝送路からの切換指令に基づいて前記伝送路からの音声に切換えて前記ヘッドホンに出力することを特徴とする請求項２または請求項３に記載のＡＶコンテンツ視聴システム。
【請求項５】
航空機に搭載されたＡＶコンテンツ視聴システムであって、前記伝送路を経由して伝送される音声は機内アナウンスであることを特徴とする請求項４に記載のＡＶコンテンツ視聴システム。
【発明の詳細な説明】
【技術分野】
【０００１】
本発明は、航空機などの旅客移動体の客室内において各座席に搭載、配備されて、映画、音楽などのＡＶ（オーディオビジュアル）コンテンツやゲームソフトを視聴するＡＶコンテンツ視聴システムに関している。
【背景技術】
【０００２】
近年、航空機などの旅客移動体においては、機内または客室内に搭載、配備されているＩＦＥ（Ｉｎ−Ｆｌｉｇｈｔ  Ｅｎｔｅｒｔａｉｎｍｅｎｔ）と呼ばれる機内エンターテインメントシステムにより、乗客に種々の機内サービスが提供されている。機内サービスとしては、例えば、乗客は配信される映画や音楽などを各座席のバックシートに備えられている液晶表示装置の画像表示部や、搭乗時に配布されるヘッドホンを使用して視聴することができるほか、同様に各座席の肘掛部に備え付けられているハンドセットと呼ばれる操作用端末などを用いてゲームをすることが可能なシステムも提供されている（例えば、特許文献１、特許文献２参照）。これらのサービスは機内に配備されているコンテンツサーバからネットワーク伝送路を通じて各座席に設けた座席端末へデジタルデータで伝送される。
【０００３】
以下、従来の航空機内におけるＡＶコンテンツ視聴システムについて図７を用いて説明する。図７は従来の一般的なＡＶコンテンツ視聴システム２００の全体構成を示す図である。ＡＶコンテンツ視聴システム２００は、複数の座席１ｍ、１ｎに沿ってネットワーク伝送路２が配設されていて、このネットワーク伝送路（以下、「伝送路」という）２は、コンテンツサーバ３に接続されている。コンテンツサーバ３は、映画やゲームなどの映像と音声からなるＡＶコンテンツを提供するＶＯＤ（Ｖｉｄｅｏ  Ｏｎ  Ｄｅｍａｎｄ）サーバ３ａや音楽や落語などの音声コンテンツを提供するオーディオサーバ３ｂを備えている。
【０００４】
伝送路２はイーサネット（登録商標）ケーブルで構成されており、この伝送路２には座席ごとに座席端末４ｍ、４ｎが接続されている。また、それぞれの座席の背部には液晶等のディスプレイ１６ｍ、１６ｎが配設され、座席の肘掛部にはコントローラ５ｍ、５ｎとヘッドホン１７ｍ、１７ｎが接続されている。これらの機器は座席端末４ｍ、４ｎを介して前述のＶＯＤサーバ３ａおよびオーディオサーバ３ｂと通信可能に接続されている。
【０００５】
また、コックピット８と乗務員室９においてそれぞれ、ヘッドセットのマイクロホン８ａ、９ａが、アナログ音声信号をデジタル音声パケットに変換してイーサネット（登録商標）に接続するためのＩＰ（Ｉｎｔｅｒｎｅｔ  Ｐｒｏｔｏｃｏｌ）アダプタ８ｂ、９ｂを介して伝送路２に接続されている。パイロットおよび客室乗務員はそれぞれマイクロホン８ａ、９ａを用いて乗客に対して機内アナウンス等を行う。
【０００６】
このような構成において、例えば、座席１ｍの乗客が自座席のコントローラ５ｍを操作して見たい映画を選ぶと、その映画の映像データおよび音声データは、ＶＯＤサーバ３ａから乗客の前の座席１ｎの座席端末４ｎにダウンロードされ蓄積される（予め複数のコンテンツが座席端末に蓄積されている場合もある）。
【０００７】
乗客が選んだ映画の映像は、前の座席１ｎのディスプレイ１６ｎに表示されるが、音声は、座席端末４ｎから後方の座席端末４ｍに伝送路２を介してデジタルデータ（音声パケット）で伝送され、座席端末４ｍにおいて復調され元のアナログ音声信号に戻される。乗客はこのアナログ音声をヘッドホン１７ｍで聴くことができる。
【０００８】
また、乗客が音楽を選んだ場合は、選ばれた音楽データがオーディオサーバ３ｂから自分の座席１ｍの座席端末４ｍにダウンロードされ、座席１ｍのヘッドホン１７ｍで聴くことができる。
【０００９】
上述したコックピット８や乗務員室９からの機内アナウンスも座席１ｍの座席端末４ｍを介してヘッドホン１７ｍで聞くことができる構成である。
【００１０】
すなわち、映画などのＡＶコンテンツを視聴する場合は、座席１ｍの乗客には、自座席の座席端末４ｍだけで処理が完結する訳ではなく、自座席の座席端末４ｍと、前部座席の座席端末４ｎの両方の端末に分かれてサービスが提供されている。
【００１１】
このような映画などのＡＶコンテンツを視聴する場合は、映像に対して音声が伝送時間だけ遅れることになるため、映像の表示を遅延させるなどの処理がなされるが、ネットワークの総帯域に対して音声パケットを含む使用帯域が大きい場合（全座席の使用者が一斉に映画を視聴する場合など）、いわゆるネットワークの輻輳状態を引き起こす。この場合には、伝送する音声の遅延が大きくなり、映像と音声の同期が乱れたり、また、パケット廃棄が生じて音声の品質が低下したりして、システム全体の信頼性を大きく低下させるという問題がある。
【００１２】
このような問題を避けるためには、音声情報だけは、ワイヤレスで伝送する方法が考えられる。ワイヤレス伝送方法としては、電波を用いる無線式や、あるいは特許文献３に示すような音声情報をＬＥＤ（発光ダイオード）の可視光を変調して伝送する方法がある。
【特許文献１】特開平７−１４３０８３号公報
【特許文献２】特開２００６−２４６２９７号公報
【特許文献３】特開２００４−２４８１２８号公報
【発明の開示】
【発明が解決しようとする課題】
【００１３】
しかしながら、音声情報を電波で送る方法は隣接座席等からの干渉の問題や航空機の各種電子機器への悪影響が懸念される。
【００１４】
また特許文献３には、ＬＥＤの可視光を使って音声情報を伝送する方法は開示されているが、航空機内のＡＶコンテンツサービスと関連づけられた伝送方法およびシステムについては何ら開示されていない。
【００１５】
本発明は、上述したような課題に鑑みてなされたものであり、航空機などの旅客移動体における機内エンターテインメントシステムのＡＶコンテンツやゲームソフトなどの配信用ネットワークの使用帯域を低減するとともに、電波干渉の問題もなく従来のサービスとの親和性のよいＡＶコンテンツ視聴システムを提供することを目的とする。
【課題を解決するための手段】
【００１６】
上記目的を達成するために、本発明のＡＶコンテンツ視聴システムは、映像データおよび音声データを含んだ配信用のＡＶコンテンツを蓄積したコンテンツサーバと、背部にディスプレイが配設され、前後に配列された複数の座席と、コンテンツサーバと伝送路を介して接続されるとともに、配信されたＡＶコンテンツを蓄積する映像音声蓄積部を内蔵して座席のそれぞれに配設された座席端末と、座席端末に接続されたコントローラとを備え、乗客が着座した自座席のコントローラにより所定のＡＶコンテンツを選択した場合、所定のＡＶコンテンツがコンテンツサーバから伝送路を経由して自座席に隣接する前部座席の座席端末に配信され、自座席のコントローラによる乗客の指示に基づいて、前部座席の座席端末の映像音声蓄積部から読み出されたＡＶコンテンツの映像データを前部座席のディスプレイに表示するＡＶコンテンツ視聴システムであって、ディスプレイは電源のＯＮ／ＯＦＦに連動して色を変える電源ＬＥＤと、電源ＬＥＤから発光される光を音声データで変調して変調光を送信するための音声変調部とを有し、変調光を受光する受光部と変調光から音声データを復調する音声復調部を有したヘッドホンとを備え、ディスプレイの電源がＯＮのときは、ディスプレイに表示される映像に関連する音声データの変調光を送信し、ヘッドホンで受信して聴取し、ディスプレイの電源がＯＦＦのときは、映像に関連しない音声データの変調光を送信して、ヘッドホンで受信して聴取することを特徴とする。
【００１７】
これにより、航空機などの旅客移動体における機内エンターテインメントシステムのＡＶコンテンツやゲームソフトなどの配信用ネットワークの使用帯域を低減するとともに、電波干渉の問題もなく従来のサービスとの親和性のよいＡＶコンテンツ視聴システムを提供することができる。さらに、ディスプレイの電源のＯＮ／ＯＦＦに連動して送信する音声データを自動的に変更するので、乗客は電源操作の度にＡＶコンテンツを切換える手間を省くことができる。
【００１８】
本発明のＡＶコンテンツ視聴システムは、映像データおよび音声データを含んだ配信用のＡＶコンテンツを蓄積したコンテンツサーバと、背部にディスプレイが配設され、前後に配列された複数の座席と、コンテンツサーバと伝送路を介して接続されるとともに、配信されたＡＶコンテンツを蓄積する映像音声蓄積部を内蔵して座席のそれぞれに配設された座席端末と、座席端末に接続されたコントローラと、座席端末に接続されたヘッドホンとを備え、乗客が着座した自座席のコントローラにより所定のＡＶコンテンツを選択した場合、所定のＡＶコンテンツがコンテンツサーバから伝送路を経由して自座席に隣接する前部座席の座席端末に配信され、自座席のコントローラによる乗客の指示に基づいて、前部座席の座席端末の映像音声蓄積部から読み出されたＡＶコンテンツの映像データを前部座席のディスプレイに表示し、ＡＶコンテンツの音声データを自座席のヘッドホンで聴取するＡＶコンテンツ視聴システムであって、ディスプレイは電源のＯＮ／ＯＦＦに連動して色を変える電源ＬＥＤと、電源ＬＥＤから発光される光を音声データで変調して変調光を送信するための音声変調部とを有し、座席は変調光を受光する受光部と変調光から音声データを復調する音声復調部を有し、ディスプレイの電源がＯＮのときは、ディスプレイに表示される映像に関連する音声データの変調光を送信し、座席で受信して座席端末を経由してヘッドホンで聴取し、ディスプレイの電源がＯＦＦのときは、映像に関連しない音声データの変調光を送信して、座席で受信して座席端末を経由してヘッドホンで聴取することを特徴とする。
【００１９】
これにより、航空機などの旅客移動体における機内エンターテインメントシステムのＡＶコンテンツやゲームソフトなどの配信用ネットワークの使用帯域を低減するとともに、電波干渉の問題もなく従来のサービスとの親和性のよいＡＶコンテンツ視聴システムを提供することができる。さらに、ディスプレイの電源のＯＮ／ＯＦＦに連動して送信する音声データを自動的に変更するので、乗客は電源操作の度にＡＶコンテンツを切換える手間を省くことができる。また、ヘッドホンは従来のものをそのまま使用できる。
【００２０】
また本発明のＡＶコンテンツ視聴システムは、受光部は、座席の左右両側に設けることが望ましい。
【００２１】
これにより、乗客が動いて座席の片側の受光部を遮っても、反対側の受光部で確実に変調光を受光できるので音声を安定に伝送できる。
【００２２】
また本発明のＡＶコンテンツ視聴システムは、座席端末は伝送路を経由して伝送される音声と座席の音声復調部からの音声とを切換える音声切換部をさらに備え、伝送路からの切換指令に基づいて伝送路からの音声に切換えてヘッドホンに出力するようにしてもよい。
【００２３】
これにより、乗客がＡＶコンテンツを視聴中にほかの重要な音声情報が伝送路を経由して流れてきた場合でも、自動的に重要な音声情報に切換わるので乗客は重要な音声情報を聞き逃すことがない。
【００２４】
また本発明のＡＶコンテンツ視聴システムは、航空機に搭載されたＡＶコンテンツ視聴システムであって、伝送路を経由して伝送される音声は機内アナウンスであってもよい。
【００２５】
これにより、航空機の乗客はＡＶコンテンツを視聴中に緊急の機内アナウンスがあった場合でも、機内アナウンスを聞き逃すことがなく、従来の機内エンターテインメントシステムの機能をそのまま実現できる。
【発明の効果】
【００２６】
本発明によれば、航空機などの旅客移動体における機内エンターテインメントシステムのＡＶコンテンツやゲームソフトなどの配信用ネットワークの使用帯域を低減するとともに、電波干渉の問題もなく従来のサービスとの親和性のよいＡＶコンテンツ視聴システムを提供することができる。
【発明を実施するための最良の形態】
【００２７】
以下、本発明の実施の形態について、図面を参照しながら詳しく説明する。
【００２８】
（実施の形態１）
本実施の形態を、図１を参照しながら図２〜図４を用いて説明する。
【００２９】
図１は本実施の形態におけるＡＶコンテンツ視聴システム１００の全体構成を示す図である。本実施の形態のＡＶコンテンツ視聴システム１００が従来のシステムと異なる点は、ディスプレイ６ｍ、６ｎおよびヘッドホン７ｍ、７ｎであり、それ以外の部分は同じであるので同一の符号を付して、すでに説明した部分については説明を省略する。
【００３０】
図２は、本実施の形態におけるＡＶコンテンツ視聴システム１００の主要な構成を示す図で、図１で説明した座席１ｍ、１ｎに設置される座席端末４ｍ、４ｎとその周辺の構成を示すブロック図である。伝送路２に接続された座席端末４ｍ（自座席）、４ｎ（前部座席）およびディスプレイ６ｍ、６ｎは、図面の点線枠で示している。
【００３１】
ＣＰＵ４１は、座席端末全体を制御する中央処理装置である。ＲＯＭ４２にはＣＰＵ４１のプログラムが収納されている。選択部４４は、この部に接続されるコントローラ５ｍの操作に基づく指令をバス４０に送出する。
【００３２】
映像音声蓄積部４６は、コンテンツサーバ３からダウンロードされたＭＰＥＧ２等の圧縮映像や圧縮音声を蓄積する。映像デコーダ５２および音声デコーダ５３はそれぞれ映像音声蓄積部４６に蓄積された圧縮映像および圧縮音声を復号して再生するための復号器である。ネットワークインタフェース５１は、伝送路２とのインタフェースであり座席端末を識別するための固有のアドレス（ＭＡＣアドレス等）を有する。これらの構成要素は、バス４０で接続され、相互に情報を伝達する。
【００３３】
また、図３に示すように、座席１ｍ、１ｎの背面にはディスプレイ６ｍ、６ｎが設置されており、ディスプレイ６ｍ、６ｎは、映像表示部４５と、音声変調部４７と、電源ＬＥＤ４８と、電源制御部４９と、電源スイッチ５０を備えている。映像表示部４５は座席端末から再生される映像を表示する。
【００３４】
音声変調部４７は、音声デコーダ５３でデコードされた音声信号によって電源ＬＥＤ（発光ダイオード）４８の駆動電流を制御し、電源ＬＥＤ４８の点滅または発光量を変化させて変調する。電源制御部４９は、電源スイッチ５０の指示で映像表示部４５のバックライト（図示しない）の電源や電源ＬＥＤ４８の発光を制御する。
【００３５】
ヘッドホン７２は、その内部に電源ＬＥＤ４８の変調光４８ａを受光する受光部７３と音声復調部である復調部７４を備え、電池（図示しない）で駆動される。なお、電源ＬＥＤ４８と電源スイッチ５０は、図３に示すように、映像表示部４５の下部に設けられている。
【００３６】
また、電源ＬＥＤ４８は、図４に示すように乗客がＡＶコンテンツを視聴するために、電源をＯＮすると緑色で発光し、電源をＯＦＦすると赤色で発光する。この電源ＯＦＦの状態はスタンバイ状態であって、ディスプレイ６ｍ、６ｎの回路への電源供給がすべて停止されている訳ではなく、映像の表示に関わる部分以外の回路には電源が供給されている。
【００３７】
このような構成において、次にＡＶコンテンツ視聴システム１００の動作を説明する。ここでは、それぞれの座席端末にすでにコンテンツサーバ３から複数のＡＶコンテンツがダウンロードされ蓄積されているものとして説明する。
【００３８】
乗客が前部座席の背面に設置されたディスプレイ６ｎの電源スイッチ５０を操作して電源をＯＮにし、コントローラ５ｍを操作して乗客が見たいＡＶコンテンツを選択すると、選択部４４がネットワークインタフェース５１を介して伝送路２に、前部座席の座席端末４ｎ宛に指令を送出する。
【００３９】
前部座席の座席端末４ｎでは、映像音声蓄積部４６に蓄積されたＡＶコンテンツから乗客が指定したＡＶコンテンツが選択され、選択したＡＶコンテンツの映像が再生されて映像デコーダ５２でデコードされディスプレイ６ｎの映像表示部４５に表示される。また、選択したＡＶコンテンツの音声は、同じく音声デコーダ５３でデコードされた後、同様にディスプレイ６ｎへ送られ、ディスプレイ６ｎに内蔵された音声変調部４７において電源ＬＥＤ４８からの緑色発光が変調され、変調光４８ａがヘッドホン７２の受光部７３へ向けて送信される。
【００４０】
この電源ＬＥＤ４８の緑色発光の変調光４８ａを受光部７３が受光し、音声復調部である復調部７４で元の音声信号に復調され、乗客はヘッドホン７２で音声として聴取する。
【００４１】
ＡＶコンテンツの提供が終了して、乗客が電源スイッチ５０を操作して電源ＯＦＦにすると、電源ＬＥＤ４８は、図４に示すように赤色発光に切換わる。
【００４２】
同時に映像音声蓄積部４６の中から予め設定されたＢＧＭ（バックグラウンドミュージック）などの音声コンテンツが選択され、音声変調部４７により電源ＬＥＤ４８は赤色発光が変調される。従って乗客は選択したＡＶコンテンツの視聴が終わっても、自動的にＢＧＭなどを楽しむことができる。このように、ディスプレイ６ｎの電源スイッチ５０のＯＮ／ＯＦＦに連動して、ＯＮ時はディスプレイ６ｎに表示された映像に関連する音声を電源ＬＥＤ４８の緑色の光で送信し、ＯＦＦ時はＢＧＭ等を自動的に切換えて電源ＬＥＤ４８の赤色の光で送信する。これにより、乗客はコントローラ５ｍ等でチャンネルを変更してＢＧＭに切換える手間を省くことができる。
【００４３】
以上のように、本実施の形態では、音声信号によって電源ＬＥＤ４８の光を変調して、この変調光をヘッドホンに内蔵した受光部でとらえ、音声に復調して聴取するようにしたので、従来のように映像の音声をイーサネット（登録商標）等の伝送路を経由して前後座席間で通信する必要がない。このために、音声信号によって伝送路の帯域を圧迫することがないので音声信号を安定に伝送することができる。また、映像および音声を同じ座席端末（前部座席）で処理するので映像と音声の同期も容易にとることができる。さらに、音声伝送に指向性の強い可視光を使うので隣接座席間での音声信号の混信を避けることが可能となり、乗客に安定な音声を提供できる。
【００４４】
（実施の形態２）
本実施の形態は、実施の形態１で説明した図２の構成の一部を変えたもので、図５と図６を用いて詳細を説明する。
【００４５】
ＡＶコンテンツ視聴システムの主要な構成を示す図５において、図２と同じ符号を付した構成要素は、図２の構成要素と同じなので説明を省略する。図５において、受光部７３ａ、７３ｂは、図６に示すように、座席１ｍの左右両側に設けられている。これらの受光部７３ａ、７３ｂに接続した復調部７４は、バス４０に接続された音声切換部である切換器５４に接続されている。
【００４６】
切換器５４には、オーディオインタフェース４３が接続され、このオーディオインタフェース４３からの音声信号と復調部７４からの音声信号をバス４０からの信号で切換えてヘッドホン７１に出力する。
【００４７】
乗客が前部座席の電源スイッチ５０を操作して電源をＯＮにし、コントローラ５ｍを操作して乗客が見たいＡＶコンテンツを選択すると、選択部４４がネットワークインタフェース５１を介して伝送路２に、前部座席の座席端末４ｎ宛の指令を送出する。同時にヘッドホン７１の入力が切換器５４によって復調部７４側に切換えられる。
【００４８】
前部座席の座席端末４ｎの動作は、実施の形態１の場合と同様である。
【００４９】
ただし、音声は専用のヘッドホン７２でなく、自座席の肘掛部に有線で接続された従来のヘッドホン７１で聴取でき、機内アナウンスが発生した場合は、切換器５４により自動的に切換えて伝送路２を経由して伝送される機内アナウンスを聞くことができる。機内アナウンスが発生した場合の切換えは伝送路２から送られる切換え指示信号で行ってもよいし、機内アナウンス信号を検出して自動的に行ってもよい。
【００５０】
また、座席端末４ｎの電源ＬＥＤ４８の変調光４８ａ、４８ｂは、座席の左右の２箇所の受光部７３ａ、７３ｂで受けるようにしたので、乗客が左右に動いて変調光４８ａ、４８ｂのいずれかを遮断しても、受光部７３ａ、７３ｂのいずれかで受光ができるので音声がとぎれることがない。
【００５１】
以上のように、本実施の形態では、電源ＬＥＤ４８からの変調光４８ａ、４８ｂを専用のヘッドホン７２で直接受信するのではなく、座席に設置された受光部７３ａ、７３ｂで受信し、復調した音声を座席端末４ｍに取り込んでから従来のヘッドホン７１に出力するようにした。これにより、ヘッドホンを着けてＡＶコンテンツを視聴中であっても機内アナウンス等のほかのサービスを受けることが可能となる。
【００５２】
なお、上記実施の形態の説明では、電源ＬＥＤ４８は電源ＯＮ時に緑色で発光し、電源ＯＦＦ時に赤色で発光すると説明したが、この発光色に限定されるものでなく、ほかの任意の色の組み合わせで発光させても同様の効果が得られることは言うまでもない。
【産業上の利用可能性】
【００５３】
本発明のＡＶコンテンツ視聴システムは、バス、鉄道などの車両やフェリー、客船などの船舶、などの娯楽利用のほか、学校、塾、図書館などの学習用にも利用することができる。
【図面の簡単な説明】
【００５４】
【図１】本発明の実施の形態１におけるＡＶコンテンツ視聴システムの全体構成を示す図
【図２】本発明の実施の形態１のＡＶコンテンツ視聴システムの主要な構成を示す図
【図３】同座席部の外観を示す斜視図
【図４】同電源ＬＥＤの点灯状態を示す図
【図５】本発明の実施の形態２のＡＶコンテンツ視聴システムの主要な構成を示す図
【図６】同座席部の外観を示す斜視図
【図７】従来のＡＶコンテンツ視聴システムの全体構成を示す図
【符号の説明】
【００５５】
１ｍ，１ｎ    座席
２    伝送路（ネットワーク伝送路）
３    コンテンツサーバ
３ａ    ＶＯＤサーバ
３ｂ    オーディオサーバ
４ｍ，４ｎ    座席端末
５ｍ，５ｎ    コントローラ
６ｍ，６ｎ，１６ｍ，１６ｎ    ディスプレイ
７ｍ，７ｎ，１７ｍ，１７ｎ，７１，７２    ヘッドホン
８    コックピット
８ａ，９ａ    マイクロホン
８ｂ，９ｂ    ＩＰアダプタ
９    乗務員室
４０    バス
４１    ＣＰＵ（中央処理装置）
４２    ＲＯＭ
４３    オーディオインタフェース
４４    選択部
４５    映像表示部
４６    映像音声蓄積部
４７    音声変調部
４８    電源ＬＥＤ（発光ダイオード）
４８ａ，４８ｂ    変調光
４９    電源制御部
５０    電源スイッチ
５１    ネットワークインタフェース
５２    映像デコーダ
５３    音声デコーダ
５４    切換器
７３，７３ａ，７３ｂ    受光部
７４    復調部
【図１】
2009253400.tif 000003
【図２】
2009253400.tif 000004
【図３】
2009253400.tif 000005
【図４】
2009253400.tif 000006
【図５】
2009253400.tif 000007
【図６】
2009253400.tif 000008
【図７】
2009253400.tif 000009